(57)【特許請求の範囲】
【請求項１】
載置されるべきディスクの中心孔を逃げて前記ディスクを載置する略半円形の複数のトレイと、前記複数のトレイを上下方向に積層したストッカ手段と、前記複数のトレイのうち記録または再生を指示されたディスクを保持したトレイの下部のトレイを下方に広げるとともに、記録または再生が終了したときには元の状態に戻す拡開手段と、前記拡開されたトレイ間に前記トレイの半円形が切除された側から記録再生部を進退させる記録部移動手段とを備え、前記拡開手段は、前記複数の各トレイの位置決めを行い上下方向に分割可能に係合されたカムギヤと、前記トレイのディスク挿入方向奥側より手前側を広く拡開させるように前記ストッカ手段を移送するストッカ移送手段とを有したディスクチェンジャー装置。
【請求項２】
前記記録部移動手段が、上下方向に移動可能かつ基端部を中心に水平方向に揺動可能なシャーシ部材を備えたことを特徴とする請求項１記載のディスクチェンジャー装置。
【請求項３】
前記記録部移動手段が、前記拡開されたトレイ間に進入した前記記録再生部により上下に開いて前記記録再生部の進入通路を形成するフラップ状の揺動部材を備えたことを特徴とする請求項１記載のディスクチェンジャー装置。
【請求項４】
前記記録部移動手段が、装置内のディスク挿入口の側方に待機位置を取り、前記待機位置から装置中心方向に移動して記録再生位置を取ることを特徴とする請求項２記載のディスクチェンジャー装置。
【請求項５】
前記記録部移動手段が、前記記録再生部の前記ディスクに対する内周方向の移動により動作する第１の検出レバーと、前記記録再生部の前記ディスクに対する外周方向の移動により動作する第２の検出レバーと、前記第１および第２の検出レバーにより動作して、前記記録再生部の内周端位置および外周端位置を検出する共通のスイッチとを備えたことを特徴とする請求項１記載のディスクチェンジャー装置。
【発明の詳細な説明】
【０００１】
【発明の属する技術分野】
本発明は、ディスクチェンジャー装置全般に最適なものであって、特に待機ディスク収納部に記録再生部が進入するタイプのディスクチェンジャー装置に関する。
【０００２】
【従来の技術】
従来、この種のディスクチェンジャー装置は、その設置箇所の多様化から小型化、薄型化を要求されており、特開平１０−１２５０２９  号公報には、そのような構成の一例が示されている。以下、図１０を参照しながら、従来のこの種のディスクチェンジャー装置について説明する。図１０において、複数のディスク１０１を収納するディスク収納部１０２には、複数のトレイ１０３が上下方向に移動可能に積層されて配置されている。ディスク収納時には、ディスク挿入口１０４から挿入されたディスクが、ローディング部１０５により搬送され、図示しないエレベータ手段により上下に移動する各トレイ１０３の上に順番に挿入される。ディスク記録再生時には、利用者が選択しようとするトレイ上の番号を指示すると、図示しないエレベータ手段が、該当する番号のディスクとその上のトレイを一緒に持ち上げて、その下方のトレイとの間に空間を形成し、その空間内に駆動シャーシ１０６に支持されたディスク記録再生部１０７を割り込ませ、ディスク記録再生部１０７のスピンドルモータ１０８のターンテーブル上にディスクの中心孔を保持させ、その上方のトレイを離間させた後、ディスク記録再生部１０７のピックアップによりディスクの記録再生が行われる。このように、従来のディスク記録再生装置でも、装置の小型化と薄型化を図ることができる。
【０００３】
【発明が解決しようとする課題】
しかしながら、上記従来のディスクチェンジャー装置では、ディスクの記録再生時には、スピンドルモータ１０８を搭載したディスク記録再生部１０７の全体が、ディスク収納部１０２のトレイとトレイの間に入り込むので、ディスク記録再生部１０７の高さ分だけ装置の高さが増大して、さらなる小型化、薄型化が困難であるという問題があった。
【０００４】
本発明は、このような従来の問題を解決するものであり、より一層の小型化  、薄型化が可能なディスクチェンジャー装置を提供するものである。
【０００５】
【課題を解決するための手段】
本発明によるディスクチェンジャー装置は、載置されるべきディスクの中心孔を逃げて前記ディスクを載置する略半円形の複数のトレイと、前記複数のトレイを上下方向に積層したストッカ手段と、前記複数のトレイのうち記録または再生を指示されたディスクを保持したトレイの下部のトレイを下方に広げるとともに、記録または再生が終了したときには元の状態に戻す拡開手段と、前記拡開されたトレイ間に前記トレイの半円形が切除された側から記録再生部を進退させる記録部移動手段とを備え、前記拡開手段は、前記複数の各トレイの位置決めを行い上下方向に分割可能に係合されたカムギヤと、前記トレイのディスク挿入方向奥側より手前側を広く拡開させるようにス前記ストッカ手段を移送するストッカ移送手段とを有している。この構成により、記録再生部がトレイとトレイとの間にトレイの半円形が切除された側から進入するため、記録再生部がトレイにぶつかることがないので、また、カムギヤとストッカ移送手段を用いた間単な構造でトレイ間を拡開させることができるので、その分だけ装置をより一層小型化、薄型化できることとなる。
【０００６】
また、本発明によるディスクチェンジャー装置は、前記記録部移動手段が、上下方向に移動可能かつ基端部を中心に水平方向に揺動可能なシャーシ部材を備えたことを特徴とするものであり、これにより、従来のような直線方向の移動に比べて移動範囲が狭くなるので、装置をより一層小型化できることとなる。
【０００７】
また、本発明によるディスクチェンジャー装置は、前記記録部移動手段が、前記拡開されたトレイ間に進入した前記記録再生部により上下に開いて前記記録再生部の進入通路を形成するフラップ状の揺動部材を備えたことを特徴とするものであり、これにより、フラップ状の揺動部材が上下のディスクを記録再生部から保護するので、上下のディスクと記録再生部との隙間を最小にすることができ、装置をより一層薄型化できることとなる。
【０００８】
また、本発明によるディスクチェンジャー装置は、前記記録部移動手段が、装置内のディスク挿入口の側方に待機位置を取り、前記待機位置から装置中心方向に移動して記録再生位置を取ることを特徴とするものであり、これにより、装置内部のスペースを有効利用でき、装置をより一層小型化できることとなる。
【０００９】
また、本発明によるディスクチェンジャー装置は、前記記録部移動手段が、前記記録再生部の前記ディスクに対する内周方向の移動により動作する第１の検出レバーと、前記記録再生部の前記ディスクに対する外周方向の移動により動作する第２の検出レバーと、前記第１および第２の検出レバーにより動作して、前記記録再生部の内周端位置および外周端位置を検出する共通のスイッチとを備えたものであり、これにより、記録再生部の位置検出をその移動方向に応じて１つのスイッチで検出できるので、、複雑な結線構成を必要とせず、部品点数も削減できることとなる。
【００１０】
【発明の実施の形態】
以下、本発明の実施の形態について、図１から図９を用いて説明する。以下の実施の形態のディスクチェンジャー装置は、自動車内に設置して使用する車載用のディスクチェンジャー装置の例である。
【００１１】
図１において、筐体１の内部には、複数のディスク１０１を収納するストッカ部２が配置され、ストッカ部２には、ディスク１０１を保持する複数枚のトレイ３が、筐体１内の右側面板１Ｂと背面板１Ｃとのコーナー部に積層配置されている。各トレイ３は、左奥コーナー部１Ｅと右手前コーナー部１Ｆにかけての対角線に略沿うように、手前側の半分が除去された半円形に形成されており、その中央部が、ディスク１０１の中心穴１０１Ａを逃げるように湾曲している。各トレイ３の背面板１Ｃに面する端部、および右側面板１Ｂと背面板１Ｃとのコーナー部の近傍に面する端部、および右側面板１Ｂに面する端部の上面には突条が形成されており、トレイ３を積層した場合、上記突条の高さ分の空間が形成され、この空間部分にディスク１０１が収納されるようになっている。また各トレイ３には、３箇所に孔が３Ａ、３Ｂ、３Ｃが形成されて、これらの孔に、両端が筐体１の上面板と下面板とに固定された３本のガイド軸が挿入されている。このため、複数のトレイ３は、上記３本のガイド軸に案内されて上下に移動可能である。
【００１２】
また、筐体１の正面板１Ａには、ディスク１０１を挿入したり、取り出したりするためのディスク挿入口４が形成されており、このディスク挿入口４近傍の筐体１内部には、ディスク搬送ローラを含むローディング部５が配置されている。また、筐体１内の左側面板１Ｄに沿う手前側には、ディスク１０１を記録再生するための記録再生部６が配置されている。記録再生部６は、光ピックアップ７を支持する光ヘッドシャーシ８を備え、光ヘッドシャーシ８は、外部からの振動・衝撃等を吸収する図示されないダンバーを介して駆動シャーシ９に支持されている。駆動シャーシ９は、回転軸１０を中心に揺動可能に、かつ図示されないエレベータ手段により上下動可能に支持されている。光ヘッドシャーシ８の裏面には、スピンドルモータ１１が設けられ、光ヘッドシャーシ８から突出するその回転軸には、ディスク１０１を保持するターンテーブル１１Ａが固定されている。また、光ヘッドシャーシ８には、光ピックアップ７をターンテーブル１１Ａの中心方向に向けて移動させるための送りねじ１２が設けられている。
【００１３】
図２は図１の概略右側面図であり、（ａ）は通常時の状態、（ｂ）はトレイ拡開時の状態を示している。図２において、筐体１の側面板１Ｂに沿って前後方向に摺動自在に支持されたストッカ支持板１３には、横方向のそれぞれ上下位置の異なる２つの長穴１４Ａと１４Ｂと、２つのカム溝１５Ａと１５Ｂが形成されている。長孔１４Ａと１４には、筐体１の側面板１Ｂに植設された２つのガイドピン１６Ａと１６Ｂが係合し、カム溝１５Ａと１５Ｂには、上下方向に摺動自在に支持されたトレイ板１７に植設された２つのガイドピン１８Ａと１８Ｂが係合している。また、筐体１の上面板に固定された金属板１９およびトレイ支持板１７には、それぞれ第１のカムギヤ２０Ａ、２０Ｂ、第２のカムギヤ２１Ａ、２１Ｂ、第３のカムギヤ２２Ａ、２２Ｂが、回転可能かつ上下方向に係合可能に配置されている。さらに、金属板１９およびトレイ支持板１７には、それぞれ各トレイ３上のディスク１０１の中心孔１０１Ａに係合可能なディスク規制部材２４、２５が固定されている。これらディスク規制部材２４、２５は、ディスク１０１をトレイ３へ挿入あるいはトレイ３から外部へ排出できるように、搬送されるディスク１０１との隙間を有している。
【００１４】
図３（ａ）および図４（ａ）は第１のカムギヤ２０Ａ、２０Ｂの正面図、図３（ｂ）および図４（ｂ）は第１のカムギヤ２０Ａ、２０Ｂのカム展開図である。第１のカムギヤ２０Ａ、２０Ｂには、互いに係合した状態においてトレイ３に設けられた突片が挿入される螺旋状のカム溝２３が連続して形成されている。また上記カムギヤ２０Ａ、２０Ｂの互いに対向する螺旋状の山の部分２０Ｃの幅は、他の山の部分２０Ｄの幅より厚く形成されている。同様に、図５および図６に示すように、第２、第３のカムギヤ２１Ａ、２１Ｂおよび２２Ａ、２２Ｂ（第２のカムギヤ２１Ａ、２１Ｂのみを示す）の山の部分２１Ｃの幅は、他の山の部分２１Ｄの幅より厚く形成されている。第２、第３のカムギヤ２１Ａ、２１Ｂおよび２２Ａ、２２Ｂは、第１のカムギヤ２０Ａ、２０Ｂと共に、それぞれ係合した状態（図４、図６）において、モータ（図示せず）の回転駆動力により同期して回転する。各カムギヤ２０、２１、２２がそれぞれ同期して回転すると、それぞれのカム溝２３に係合する突起を有する各トレイ３は、一体となって上下に移動する。この上下方向への移動の際に、カムギヤ２０、２１、２２の幅広の山部２０Ｃ、２１Ｃ、２２Ｃによって、その位置に位置するトレイ間が開口し、上下に係合していた各カムギヤ２０、２１、２２の係合が外れる。
【００１５】
例えば、１番上のディスクの再生が指定されると、図６（ａ）に示すように、まず各ギヤカムが１回転すると、各トレイ３が１つ上のカム溝２３に移動し、１番上のトレイ３−１が幅広部２１Ｃを越えると、１番上のトレイ３−１と２番目のトレイ３−２との間が幅広部２１Ｃによって隔てられるので、その間の距離が広くなる。この状態で、ギヤカムの回転が停止するとともに、図２（ｂ）に示すように、位置規制部材２４、２５が離間するとともに、ストッカ支持板１３が水平方向前方に駆動され、ストッカ支持板１３に形成されたカム溝１５Ａ、１５Ｂにより、トレイ支持板１７が前方に傾斜しながら下方に下がって、１番上のトレイ３−１と２番目のトレイ３−２との間が大きく拡開されることになる。これにより、１番上のトレイ３−１に対するディスクの挿入、排出、および記録再生が可能になる。
【００１６】
図７は記録再生を行うディスク１０１を選択し、記録再生部６が拡開したトレイ３の間に進入し、記録再生を開始するまでの一連の動作を模式的に示したものである。図２に示した拡開動作により選択されたディスク１０１は、その外周に配置されたガイド２６により支持されている。上下方向に移動可能な駆動シャーシ９の底面端部および上面端部には、それぞれ回動可能なフラップ状のレバー２７、２８が配置されている。駆動シャーシ９上に配置された記録再生部６は、駆動シャーシ９の昇降動作により所定の位置まで移動を行い、同じく駆動シャーシ９の揺動動作により、開口動作されたトレイ３の間に進入して、所定の記録再生位置に停止する。この時、フラップ状のレバー２７、２８は、記録再生部６の進入に伴ってその端面により駆動され、選択ディスク以外、すなわちその上下に位置するディスク１０１を保護するように回動して、記録再生部６の進入通路を形成する。その後、記録再生部６を保持した光ヘッドシャーシ８は、図示されない駆動手段により、ディスク１０１の中心方向に直線移動し、ターンテーブル１１Ａをディスク１０１の中心孔１１Ａに合致させた後、クランパ１１Ｂによりディスク１０１をターンテーブル１１Ａ上に固定し、再度所定の記録再生位置の戻って記録再生動作を行う。
【００１７】
図８は光ヘッドシャーシ８が記録再生位置に戻った状態におけるターンテーブル１１Ａ、光ピックアップ７などを搭載した記録再生部６を示したものである。光ピックアップ７には、発光素子などの光学系が組み込まれており、光学系を構成する対物レンズから出たレーザ光がディスク１０１に照射され、またディスク１０１で反射された反射光が対物レンズを介して受光素子に入射される。この受光素子は、受光したレーザ光を電気信号に変換して出力するものであり、この出力信号からディスク１０１に記録された情報が再生されることになる。また、再生以外の動作を行う際には、光ピックアップ７は、送りねじ１２によりディスク１０１の外周方向へ移動した後、再び回転１０を中心とした回転動作により、図１に示す所定の待機位置へ移動する。
【００１８】
図９は光ヘッドシャーシ８の裏面に支持された記録再生部６を示したものである。光ヘッドシャーシ８の裏面には、スイッチ３１、および回転可能に支持された検出レバー３２、３３が配置されている。検出レバー３２、３３の短寸側３２Ａ、３３Ａの端部には、それぞれコイルばね３４を取り付けるための取り付け部が設けられ、このコイルばね３４により検出レバー３２は、図において反時計回り方向に、また検出レバー３３は、図において時計回り方向に回動付勢されている。検出レバー３２は、光ピックアップ７の内周方向４０Ａへの移動により、所定の位置でその短寸側３２Ａの端部が光ピックアップ７の肩部７Ａにより駆動され、その長寸側３２Ｂがスイッチ３６をオンまたはオフすることにより、ピックアップ７の内周方向の移動端が検出される。また検出レバー３３は、光ピックアップ７の外周方向４０Ｂへの移動により、所定の位置でその短寸側３３Ａの端部が光ピックアップ７の肩部７Ｂにより駆動され、その長寸側３３Ｂがスイッチ３６をオンまたはオフすることにより、ピックアップ７の外周方向の移動端が検出される。
【００１９】
【発明の効果】以上説明したように、本発明によるディスクチェンジャー装置は、載置されるべきディスクの中心孔を逃げて前記ディスクを載置する略半円形の複数のトレイと、前記複数のトレイを上下方向に積層したストッカ手段と、前記複数のトレイのうち記録または再生を指示されたディスクを保持したトレイの下部のトレイを下方に広げるとともに、記録または再生が終了したときには元の状態に戻す拡開手段と、前記拡開されたトレイ間に前記トレイの半円形が切除された側から記録再生部を進退させる記録部移動手段とを備え、前記拡開手段は、前記複数の各トレイの位置決めを行い上下方向に分割可能に係合されたカムギヤと、前記トレイのディスク挿入方向奥側より手前側を広く拡開させるようにス前記ストッカ手段を移送するストッカ移送手段とを有しているので、記録再生部がトレイとトレイとの間にトレイの半円形が切除された側から進入するため、記録再生部がトレイにぶつかることがないので、また、カムギヤとストッカ移送手段を用いた間単な構造でトレイ間を拡開させることができるので、その分だけ装置をより一層小型化、薄型化することができる。
【図面の簡単な説明】
【図１】本発明の実施の形態におけるディスクチェンジャー装置の待機時の概略平面図
【図２】（ａ）本発明の実施の形態におけるディスクチェンジャー装置の待機時の概略右側面図
（ｂ）本発明の実施の形態におけるディスクチェンジャー装置の記録再生時の概略右側面図
【図３】（ａ）本発明の実施の形態における第１のカムギヤの離間時の正面図
（ｂ）第１のカムギヤの離間時の展開図
【図４】（ａ）本発明の実施の形態における第１のカムギヤの結合時の正面図
（ｂ）第１のカムギヤの結合時の展開図
【図５】（ａ）本発明の実施の形態における第２（第３）のカムギヤの離間時の正面図
（ｂ）第２（第３）のカムギヤの離間時の展開図
【図６】（ａ）本発明の実施の形態における第２（第３）のカムギヤの結合時の正面図（ｂ）第２（第３）のカムギヤの結合時の展開図
【図７】本発明の実施の形態における記録再生動作の概略模式図
【図８】本発明の実施の形態におけるディスクチェンジャー装置の記録再生時の概略平面図
【図９】本発明の実施の形態における記録再生部の概略平面図
【図１０】従来例におけるディスクチェンジャー装置の概略側面図
【符号の説明】
１    筐体
２    ストッカ部
３  トレイ
４  ディスク挿入口
５  ローディング部
６  記録再生部
７  光ピックアップ
８  光ヘッドシャーシ
９  駆動シャーシ
１０  回転軸
１１  スピンドルモータ
１１Ａ  ターンテーブル
１１Ｂ  クランパ
１２  送りねじ
１３  ストッカ支持板
１４  長孔
１５  カム溝
１６  ガイドピン
１７  トレイ支持板
１８  ガイドピン
１９  金属板
２０  第１のカムギヤ
２１  第２のカムギヤ
２２  第３のカムギヤ
２４、２５  ディスク規制部材
２６  ガイド
２７、２８  フラップ状のレバー
３１  スイッチ
３２、３３  検出レバー
３４  コイルばね
【図１】
0003553425.tif 000002
【図２】
0003553425.tif 000003
【図３】
0003553425.tif 000004
【図４】
0003553425.tif 000005
【図５】
0003553425.tif 000006
【図６】
0003553425.tif 000007
【図７】
0003553425.tif 000008
【図８】
0003553425.tif 000009
【図９】
0003553425.tif 000010
【図１０】
0003553425.tif 000011